(57)【要約】      （修正有）【課題】あたらしい視点をもつ正確な標準を迅速に構築する。【解決手段】標準化の為の正確な技術標準書の作成を目的として，標準書作成業務の機械化を工夫した。２〜９９語列間の各語列に９９９９行以下の語を配置した場合の順列組み合わせにより記号合成を行うことができ、この合成に際して、記号合成ソフトウェアに組み合わせの逐次削減あるいは他事項記入禁止記述機能を持たせた。【選択図】図１
2006065820.tif 000002
【特許請求の範囲】
【請求項１】
コンピュータを用いて２語列以上９９語列以内の記号を順列組み合わせにより合成する記号合成ソフトウェアにおいて、いわゆる「組み合わせの爆発」による計算容量不足を回避する為に、１語列を追加するたびに、削除組み合わせを指定する事前入力を行い、組み合わせ記号生成途中で逐次、指定組み合わせを削減する逐次削減機能付き記号合成ソフトウェア
【請求項２】
コンピュータを用いて２語列以上９９語列以内の記号を順列組み合わせにより合成する記号合成ソフトウェアにおいて、記号定義列の記号とそれ以前の語列に記入された記号との間の従属関係を認識し、記号定義列の記号の存在する前提条件として、それ以前の語列の記号を要求することによって、削除組み合わせを事前に指定する入力を行わずに、記号組み合わせ生成途中で逐次、従属関係以外の組み合わせを削減する存在条件指定機能付き記号合成ソフトウェア
【請求項３】
コンピュータを用いて２語列以上９９語列以内の記号を順列組み合わせにより合成する記号合成ソフトウェアにおいて、記号に伴う適用欄記述を合成する際に、予めその他の記入禁止記述型（例えば１文字×を記述する）を定め、記号合成ソフトウェアが是を認識し、適用欄記述合成過程において、他の記述の上書きを禁止する他記述禁止記述型を支持する記号合成ソフトウェア
【発明の詳細な説明】
【技術分野】
【０００１】  この発明は技術管理における標準化を正確な技術標準書（以下は標準書と略す）作成により普及することに資する。
【背景技術】
【０００２】    従来、標準化といえば、膨大な書類の作成に追われて、実質的効果の乏しいという批判が高かった。事実、厳密に対象を記述する為には、非常に多くの重複記述を余儀なくされていた。このことが、標準化する過程には技術の本質がなく、書記の作業とみなしてしまう傾向を強めた。
標準化によって作成された標準書が作成開始時点から，陳腐化し始めているとして、長期にわたり校正され脱稿されても、もはや使用に耐えないものとして、改善意欲の強い職場に受け入れられないことが多かった。
【発明の開示】
【発明が解決しようとする課題】
【０００３】    複数の規定や技術を組み合わせて作成される標準書は、すべての場合を網羅して必要にして十分な対象を余すところなく迅速に記述されなければならない。必要にして十分な対象を注意力によって見極めることが、技術の複雑化にともなって至難となっている。すなわち、細分化された価値観や規格の組み合わせが膨大な数となり、いわゆる「組み合わせの爆発」を起こす。例えば１０種の材料を５台の加工機で加工する可能性があり、各加工機が２０種類の加工方法を持っているとすると、その組み合わせは１０００種類となる。この組み合わせについて、どれが優先的に選択されるべきかという優先順位付けをするとなると、１００万種類の優先順位関係を生じることになる。実際には、考察する必要のない組み合わせや優先順位があって、標準書から削除する必要があるが、この確認もれがしばしば起こり，標準書の信頼を失うことが多い。さらに要求される信頼精度を高めるために、目視校正を施せば、その間にも陳腐化が進む。
【課題を解決するための手段】
【０００４】▲１▼本発明はコンピュータを記号合成機に仕立てることにより、迅速さ正確さを確保している。
▲２▼本発明ソフトは「組み合わせの爆発」を回避し、必要十分な組み合わせの記号を合成する。
▲３▼本発明ソフトの入力データ群を標準書作成レシピ（以下標準書レシピと略す）と称し、出力を出力表と呼ぶ。
▲４▼標準書レシピにおいて、削除操作を指定することにより、簡単な組み合わせ（最小２次元から）を複数削除できる。
▲５▼加えて、異次元の記号間の従属関係を記述することにより、組み合わせの発生を減じることが出来る。
▲６▼出力表に記載するコメントを適切に制御することにより、標準書レシピの簡単組み合わせの適用コメント記述を可能にする。
▲７▼標準書レシピ入力後、出力表は数分以内にでき、迅速化できる。
▲８▼出力表を見ながら、校正を入力側の標準書レシピ上で行うことにより、校正作業が簡略になり、論理的整合性を高めることができる。
▲９▼手作業の何千倍もの迅速化により、校正作業の繰り返し回数を上げることが出来、精度が向上する。
【発明の効果】
【０００５】    本発明により、標準書作成過程が技術の組立て過程となり、試行錯誤を迅速に行い、過程の記録も容易に出来ることから、あたらしい視点をもつ正確な標準を迅速に構築でき、標準書として発行できた結果、現場からの信頼を得つつ、先進的な技術を普及することを得た。    非常に難度の高い標準の場合、
▲１▼      標準書作成に要する期間が従来に比し１／１２に短縮でき、
▲２▼      発行された標準書の使用期間（寿命）を従来比５倍に伸びた。
【発明を実施するための最良の形態】
【０００６】    技術標準の作成段階は、企業秘密として秘匿されるべきであり、ネットワーク接続して使用することは、好まれず、スタンドアロン型パソコンへのパッケージソフト販売が馴染む。販売先に数時間程度、デモンストレーションと説明を組み合わせれば誰にでも使用できる。
【実施例】
【０００７】
【実施第１例】
加工機標準の例
簡単な具体例を示す。
第１語列に材料の「硬・軟」２記号を、
第２語列に加工量「大・中・小」３記号を与える。
適用コメントに加工速度上限値を与えることを想定する。
このうち硬・大の組み合わせは加工機の馬力制限から実現しない。さらに第３語列加工機番号を加えた。
１号機で高速加工あるいは最高速加工した時に、仕上がり寸法精度が不足し、不良品が多発すると判明し、１号機での高速加工・最高速加工を禁止した標準書を作成した。
2006065820.tif 000003
上記標準書がコンピュータ出力として得られた。
実用上、加工速度順に整列する。
2006065820.tif 000004
ここでは低速度品を２号機に負荷することは、生産性を阻害し不利となる。このことから「硬・中・２号」を禁止して、標準から排除している。（２重取り消し線で示す）。
2006065820.tif 000005
記号列ＣＬＭ１に材質、ＣＬＭ２に加工度、ＣＬＭ３に加工機を摘要欄にＡｐｐ２〜５に作業時の加工速度を標準として指示した
１．出力例：      実施例１の出力表例を示す。
2006065820.tif 000006
2006065820.tif 000007
出力表は、タイトルが補正されている。
ＣＤＩＤ＝１０の摘要欄未記入という結果は、加工不能を意味する。
【実施第２例】
ダイバージョン標準の例
鋼板の諸検査成績から、ダイバージョン先を決める決定表の例を示す。
語列は▲１▼絞り性▲２▼材質均一性▲３▼表面傷▲４▼ＳＳ検査▲５▼耐ＳＣＲＡＴＣＨとし、
各水準数は３，２，３，３，２  （最大順列組み合わせ数＝１０８）
適用コメント  ６語列
▲１▼Ｔ社向き▲２▼Ｈ社向き▲３▼Ｓ社向き▲４▼白物向き▲５▼２級品▲６▼屑
2006065820.tif 000008
2006065820.tif 000009
2006065820.tif 000010
2006065820.tif 000011
2006065820.tif 000012
上記の出力表が検査成績に基づき、出荷向先が精妙に規制されることを示すと同時に、若干の自由度が存在することを示す。
コンピュータを利用しなければ是だけの精度で標準書を作りあげるには熟練と膨大な校正時間を必要とする。
【産業上の利用可能性】
【０００８】あらゆる産業において利用可能であり、特に製造業においては類例があり、販売後、直ちに利用できる。
【図面の簡単な説明】
【０００９】
【図１】標準書レシピの図
【符号の説明】
【００１０】  図１の符号説明
ａ）標準書レシピ
入力の形式を示している。
標準書レシピの構成要素
レシピの語列：▲１▼操作ＩＤ                    ：  ＣｄＩｄ
▲２▼記号定義の上・下限値（数値）：  ＬＬｎ，ＵＬｎ
▲３▼記号設定（２−９列）        ：  ＣＬＭｎ
▲４▼適用コメント（任意数）      ：  ＡＰＰｍ
ここに  ｎ：次元数。各次元上の記号数は任意
（実用上は９９９９以下）
ｂ）操作ＩＤ    ：ＣｄＩｄ
以降に記述する記号の処理方法を規定する語列。
Ｂ）操作指示の内訳（２桁〜３桁の文字列）
第１桁：操作指示
Ｂ  （ＢＡＳＥ）        基本定義
Ｄ  （ＤＥＬＥＴＥ）    組合せ取り消し指定
Ｇ  （ＧＡＧ）          適用コメント追記
第２桁：起動語列（序数文字）
１〜９（操作支持が２桁文字列の場合）
０１〜９９（操作支持が３桁文字列の場合）
例  Ｂ１  は１語列目の記号設定を示す。
（必要記号数だけ複数のＢ１を記述する）
ｃ）下限値と上限値（ＬＬｎ，ＵＬｎ）
記号を定義する下限上限数値を記入する列。記号語列と同じかそれ以下の下限値列および上限値列を記述する。ｎは語列数。
ｄ）記号語列（ＣＬＭｎ）
語列数ｎは２〜９９列の任意列数を使い操作指示がＢの時各語列に記号を定義する。
操作指示がＤおよびＧの時は、２語列以上に記入する。但し操作指示がＢで、２語列以上に記号記述があれば、存在前提条件を示す。
ｅ）適用欄（ＡＰＰｍ）
適用欄列数ｍは記号語列数と無関係に最大２５０列まで記述でき、記号合成結果に対応して、記述が合成（上書き）される。
但し、他記入禁止記述（例えば×印）が記入された後は、上書きされない。
ｇ）追記条件：適用欄を追記上書きする組み合わせを指定している。生成する組み合わせの数に影響を与えない。
ｋ）存在前提条件：下語列の記号はこの存在前提条件となる記号と共に生成されることを示す。
ｍ）他記述禁止記述型：×印を記述した摘要欄には、たの追記はなされない。
ｎ）削除条件：記入された組み合わせは出力表から削除される。
【図１】
2006065820.tif 000013